(57)【要約】【課題】釣りの目的や使用者の好みに応じて釣糸に対する滑り具合を変えることができ、釣竿の調子にも比較的柔軟に対応する釣糸案内具を提供する【解決手段】（１）釣竿２３の基側中間位置にその前後が固定される支持部材１１と、（２）支持部材１１の基側及び先側にそれぞれ取付けられる基側釣糸ガイド１２及び先側釣糸ガイド１６と、（３）基側釣糸ガイド１２と先側釣糸ガイド１６の中間位置に釣竿２３を下にして上下又は斜め方向に並べて配置される複数の中間釣糸ガイド１３〜１５とを有し、使用にあっては、釣糸２４を基側釣糸ガイド１２から中間釣糸ガイド１３〜１５のいずれか一つ、そして、先側釣糸ガイド１６に挿通する。【選択図】        図１
2004208575.tif 000002
【特許請求の範囲】
【請求項１】
（１）釣竿の基側中間位置にその前後が固定される支持部材と、（２）前記支持部材の基側及び先側にそれぞれ取付けられる基側釣糸ガイド及び先側釣糸ガイドと、（３）前記基側釣糸ガイドと前記先側釣糸ガイドの中間位置に前記釣竿を下にして上下又は斜め方向に並べて配置される複数の中間釣糸ガイドとを有し、
使用にあっては、釣糸を前記基側釣糸ガイドから前記中間釣糸ガイドのいずれか一つ、そして、前記先側釣糸ガイドに挿通することを特徴とする釣糸案内具。
【請求項２】
請求項１記載の釣糸案内具において、前記支持部材は、順次異なる方向への３か所の湾曲部を備え、前記釣竿の基側の曲げに合わせて前記支持部材が弾力的に変形可能なことを特徴とする釣糸案内具。
【請求項３】
請求項１及び２のいずれか１項に記載の釣糸案内具において、前記基側釣糸ガイドと前記先側釣糸ガイドとの上端同士又は下端同士を連結する直線に対して、前記中間釣糸ガイドの各釣糸挿通孔は更に外側に偏って配置されていることを特徴とする釣糸案内具。
【請求項４】
請求項１及び２のいずれか１項に記載の釣糸案内具において、前記基側釣糸ガイドと前記先側釣糸ガイドとの上端同士又は下端同士を連結する直線が、前記中間釣糸ガイドのいずれか一つの釣糸挿通孔内にあることを特徴とする釣糸案内具。
【請求項５】
請求項１〜４のいずれか１項に記載の釣糸案内具において、前記支持部材は帯状材からなって、該帯状材の中間位置に該帯状材に沿って長くその基端部が前記帯状材に連結されている引起し片Ａを設け、該引起し片Ａの先部に、前記基側釣糸ガイド及び前記先側釣糸ガイドのいずれか一方を設けたことを特徴とする釣糸案内具。
【請求項６】
請求項１〜４のいずれか１項に記載の釣糸案内具において、前記支持部材は帯状材からなって、該帯状材の中間位置に該帯状材に沿って長くその基端部が前記帯状材に連結されている引起し片Ｂを設け、該引起し片Ｂが前記支持部材の一方の釣竿への固定部となって、前記支持部材の一方側に、前記基側釣糸ガイド及び前記先側釣糸ガイドのいずれか一方を設けたことを特徴とする釣糸案内具。
【請求項７】
請求項１〜６のいずれか１項に記載の釣糸案内具において、前記中間釣糸ガイドは、基台に並べて取付けられ、該基台が前記支持部材に交換可能に取付けられていることを特徴とする釣糸案内具。
【請求項８】
請求項１〜６のいずれか１項に記載の釣糸案内具において、前記支持部材の中間位置に、引起し片Ｃを設け、該引起し片Ｃに前記中間釣糸ガイドの一つが設けられていることを特徴とする釣糸案内具。
【請求項９】
請求項１〜８のいずれか１項に記載の釣糸案内具において、前記中間釣糸ガイドと前記基側釣糸ガイドとの間の前記支持部材には、前記支持部材の弾性力を高める波形屈曲部を設けたことを特徴とする釣糸案内具。
【発明の詳細な説明】
【０００１】
【発明の属する技術分野】
本発明は、リールを取付けることができる釣竿に設ける釣糸案内具に関し、特に、仕掛け投入時の釣糸の振動を抑えて飛翔距離を延ばし、更に釣糸巻取り時には、釣糸の水切りを行うことができる釣糸案内具に関する。
【０００２】
【従来の技術】
従来より、釣竿には、先側に向かってだんだん内径が小さくなる釣糸ガイドが設けられ、また、釣竿の基側には、釣竿の軸心に平行な軸心を有する糸巻リールが取付けられる。
ところが、通常の糸巻リールは、そのスプールが釣竿の長さ方向を向いたスピニングリールが一般的であるので、スプールから解かれる釣糸が振動して、仕掛けの飛距離がでないという問題があった。そこで、例えば、特許文献１に記載のように、複数のローラを用いて釣糸をガイドする方法があるが、ローラが必要であり、構造が複雑となる。そこで、本発明者は特許文献２に記載のように、それぞれに釣糸を挿通する３個の釣糸ガイドを偏心配置して、釣糸の振動を防止する方法を提案した。
【０００３】
【特許文献１】
実開平０５−０８８２６１号公報
【特許文献２】
特許第３３４７３０７号公報（図１〜図６）
【０００４】
【発明が解決しようとする課題】
しかしながら、特許文献２の図１〜図５に記載の釣糸案内具は、構造が複雑で比較的製造原価が高くなり、更に強度的にも問題があり、特許文献２の図６に示す釣糸案内具は比較的構造が簡単で、使用しやすいが、山形の支持部材の前後を釣竿に固定しているので、釣竿の調子（撓り具合）が悪くなって、場合によっては、支持部材の接合部分で釣竿が折れるという事故が発生していた。
更には、特許文献２記載の釣糸案内具は、釣糸を挿通する３つのガイド孔が決まっているので、釣糸に対する抵抗や滑り具合も一様となり、釣り人の好みに応じて釣糸に抵抗を与えることはできないという問題があった。
本発明はかかる事情に鑑みてなされたもので、釣りの目的や使用者の好みに応じて釣糸に対する滑り具合を変えることができ、更には、釣竿の調子にも比較的柔軟に対応する釣糸案内具を提供することを目的とする。
【０００５】
【課題を解決するための手段】
前記目的に沿う第１の発明に係る釣糸案内具は、（１）釣竿の基側中間位置にその前後が固定される支持部材と、（２）前記支持部材の基側及び先側にそれぞれ取付けられる基側釣糸ガイド及び先側釣糸ガイドと、（３）前記基側釣糸ガイドと前記先側釣糸ガイドの中間位置に前記釣竿を下にして上下又は斜め方向に並べて配置される複数の中間釣糸ガイドとを有し、使用にあっては、釣糸を前記基側釣糸ガイドから前記中間釣糸ガイドのいずれか一つ、そして、前記先側釣糸ガイドに挿通する。これによって、釣糸は少なくとも基側釣糸ガイド、一つの中間釣糸ガイド及び先側釣糸ガイドの３つのガイドを通るが、中間釣糸ガイドは選択できるので、これによって、釣糸に対する滑り抵抗を変えることができる。従って、リールから解き出される釣糸の放出具合や釣糸を巻き取る場合の水切り具合を変えることができる。
【０００６】
第２の発明に係る釣糸案内具は、第１の発明に係る釣糸案内具において、前記支持部材は、順次異なる方向への３か所の湾曲部を備え、前記釣竿の基側の曲げに合わせて前記支持部材が弾力的に変形可能となっている。これによって、釣竿の調子を大きく変えることがないので、急激な負荷によって釣竿が折れる等の事故が減少する。
第３の発明に係る釣糸案内具は、第１及び第２の発明に係る釣糸案内具において、前記基側釣糸ガイドと前記先側釣糸ガイドとの上端同士又は下端同士を連結する直線に対して、前記中間釣糸ガイドの各釣糸挿通孔は更に外側に偏って配置されている。これによって、釣糸に対して異なる滑り抵抗を与えることができる。第４の発明に係る釣糸案内具は、第１及び第２の発明に係る釣糸案内具において、前記基側釣糸ガイドと前記先側釣糸ガイドとの上端同士又は下端同士を連結する直線が、前記中間釣糸ガイドのいずれか一つの釣糸挿通孔内にある。これによって、釣糸に最小の抵抗を与えて釣糸をリールから解くことができる。
【０００７】
第５の発明に係る釣糸案内具は、第１〜第４の発明に係る釣糸案内具において、前記支持部材は帯状材からなって、該帯状材の中間位置に該帯状材に沿って長くその基端部が前記帯状材に連結されている引起し片Ａを設け、該引起し片Ａの先部に、前記基側釣糸ガイド及び前記先側釣糸ガイドのいずれか一方を設けている。これによって、一枚の帯状材をプレス加工することによって、支持部材を作ることができる。
第６の発明に係る釣糸案内具は、第１〜第４の発明に係る釣糸案内具において、前記支持部材は帯状材からなって、該帯状材の中間位置に該帯状材に沿って長くその基端部が前記帯状材に連結されている引起し片Ｂを設け、該引起し片Ｂが該支持部材の一方の釣竿への固定部となって、前記支持部材の一方側に、前記基側釣糸ガイド及び前記先側釣糸ガイドのいずれか一方を設けている。これによって、一枚の帯状材からプレス加工によって所定の支持部材を作ることができる。
【０００８】
第７の発明に係る釣糸案内具は、第１〜第６の発明に係る釣糸案内具において、前記中間釣糸ガイドは、基台に並べて取付けられ、該基台が前記支持部材に交換可能に取付けられている。これによって、好みに応じて中間釣糸ガイドを交換できる。
第８の発明に係る釣糸案内具は、第１〜第６の発明に係る釣糸案内具において、前記支持部材の中間位置に、引起し片Ｃを設け、該引起し片Ｃに前記中間釣糸ガイドの一つが設けられている。
そして、第９の発明に係る釣糸案内具は、第１〜第８の発明に係る釣糸案内具において、前記中間釣糸ガイドと前記基側釣糸ガイドとの間の前記支持部材には、前記支持部材の弾性力を高める波形屈曲部を設けている。
【０００９】
【発明の実施の形態】
続いて、本発明を具体化した実施の形態にかかる釣糸案内具について説明し、本発明の理解に供する。
ここに、図１は本発明の第１の実施の形態に係る釣糸案内具の斜視図、図２は同側面図、図３は本発明の第２の実施の形態に係る釣糸案内具の斜視図、図４は本発明の第３の実施の形態に係る釣糸案内具の斜視図、図５（Ａ）は本発明の第４の実施の形態に係る釣糸案内具の部分平面図、（Ｂ）は同側面図、図６（Ａ）は本発明の第５の実施の形態に係る釣糸案内具の側面図、（Ｂ）は同斜視図、図７（Ａ）は本発明の第６の実施の形態に係る釣糸案内具の側面図、（Ｂ）は同斜視図である。
【００１０】
図１、図２に示すように、本発明の第１の実施の形態に係る釣糸案内具１０は、ステンレス製の帯状の板をプレス加工によって曲げて形成した支持部材１１と、支持部材１１の基側Ｂから順次取付けられた基側釣糸ガイド１２、３個の中間釣糸ガイド１３〜１５及び先側釣糸ガイド１６とを有している。支持部材１１の基側Ｂには基側釣竿固定部１７が設けられている。そして、この帯状材からなる支持部材１１の先側中間位置には、その基端部が支持部材１１に連結されている長尺の引起し片（引起し片Ｂの一例）１８を折り曲げて形成される先側釣竿固定部１９が形成されている。従って、支持部材１１にはこの引起し片１８を抜いた空間部２０が形成されているが、支持部材１１の幅や厚みを調整することによって、支持部材１１の強度が極端に低下しないようになっている。なお、基側釣竿固定部を支持部材の基側に設けた引起し片で形成し、支持部材の基側に基側釣糸ガイドを設けてもよい。
【００１１】
支持部材１１は、図１、図２に示すように、帯状の板材からなって、基側釣竿固定部１７から先側釣竿固定部１９にかけて、基側釣竿固定部１７と山形部２１の連結部分、山形部２１の頂上部分、山形部２１と先側部２２との連結部分に３か所の湾曲部Ｗ１、Ｗ２、Ｗ３を有し、更に、支持部材１１と引起し片１８が連結される部分に屈曲部Ｗ４を、引起し片１８の基側と先側釣竿固定部１９との中間部分には湾曲部Ｗ５を備え、それぞれが順次曲がり方向を変えている。これによって、この釣糸案内具１０を釣竿２３に装着した場合、釣竿２３の基側の曲がりに沿って支持部材１１も曲がり、釣竿２３に極端な曲げモーメントがかかるのを防止できて、釣竿２３の調子を悪くしたり、不用意に折れる等の事故を防止している。
【００１２】
なお、釣竿２３の基側Ｂには、スピニングリールが設けられ、このリールから釣糸２４が解かれ、基側釣糸ガイド１２、釣竿２３を下にして斜め方向（上下方向でもよい）に並べて配置される中間釣糸ガイド１３〜１５のいずれか１、先側釣糸ガイド１６に釣糸２４が挿通され、釣竿２３に設けられている他の釣糸ガイドを通して、釣竿２３の先側に釣糸２４が案内されている。この実施の形態では、基側釣糸ガイド１２の内径が最大で、中間釣糸ガイド１３〜１５、及び先側釣糸ガイド１６の順番にその内径が徐々に小さくなっている。そして、各基側釣糸ガイド１２、中間釣糸ガイド１３〜１５、先側釣糸ガイド１６の内側には、耐摩耗性の要求から二酸化珪素（ＳｉＯ２  ）のリングが設けられている。
【００１３】
そして、基側釣糸ガイド１２と先側釣糸ガイド１６を挿通する釣糸２４は、実質的に釣竿２３に平行になっているが、基側釣糸ガイド１２と先側釣糸ガイド１６の上端を連結する直線ｍ１より、中間釣糸ガイド１４の釣糸挿通孔の下端が少し上にあって、釣糸２４が挿通する場合には、釣糸２４の両側が基側釣糸ガイド１２、中間釣糸ガイド１４及び先側釣糸ガイド１６に当たり、釣糸２４に対して抵抗を与えると共に、釣糸２４に付着した水を除去できる構造となっている。中間釣糸ガイド１４に対して中間釣糸ガイド１３は更に、直線ｍ１より外側に偏っているので、この中間釣糸ガイド１３に釣糸２４を挿通した場合には、中間釣糸ガイド１４を用いる場合より釣糸２４に加える抵抗が大きくなりより水切り性が向上する。
【００１４】
ここで、（１）基側釣糸ガイド１２と先側釣糸ガイド１６の下端を連結する直線ｍ２より、中間釣糸ガイド１４の上端を下げる場合、（２）基側釣糸ガイド１２と先側釣糸ガイド１６の上端を連結する直線ｍ１より、中間釣糸ガイド１３又は１５の下端を上げる場合、（３）基側釣糸ガイド１２と先側釣糸ガイド１６の下端を連結する直線ｍ２より、中間釣糸ガイド１３又は１５の上端を下げる場合、（４）基側釣糸ガイド１２と先側釣糸ガイド１６の下端を連結する直線ｍ２又は上端を連結する直線ｍ１が、中間釣糸ガイド１３〜１５の各釣糸挿通孔の中にある場合、（５）中間釣糸ガイド１３〜１５の軸心が、基側釣糸ガイド１２と先側釣糸ガイド１６を結ぶ軸心より右又は左方向にずれている場合、等がある。これらの場合には、いずれも、基側釣糸ガイド１２及び先側釣糸ガイド１６を挿通する釣糸２４を通す中間釣糸ガイド１３〜１５を選ぶことによって、釣糸２４の材質や性質、太さに応じて使用者が好む最適の釣糸状態を得ることができる。また、この実施の形態においては中間釣糸ガイド１３〜１５は３つであったが、２つ又は４つ以上にすることもできる。なお、以上の中間釣糸ガイドの位置の変更や選択については、以下の実施の形態においても同様に適用できる。
【００１５】
続いて、図３に示す本発明の第２の実施の形態に係る釣糸案内具２６について説明するが、前記実施の形態と同一の構成要素は同一の番号を付して詳しい説明を省略する（以下の実施の形態においても同じ）。
図３に示すように、本発明の第２の実施の形態に係る釣糸案内具２６は、支持部材２７と、この支持部材２７に取付けられている基側釣糸ガイド１２、中間釣糸ガイド１３〜１５、先側釣糸ガイド１６とを有している。ステンレス等の帯状材からなる支持部材２７の中間部には引起し片（引起し片Ａの一例）２８が設けられて、この引起し片２８は、支持部材２７の先側に連結部が設けられ、折り返された引起し片２８の先側に先側釣糸ガイド１６が設けられている。支持部材２７は、前後端に基側釣竿固定部１７及び先側釣竿固定部１９を有し、途中には山形状の湾曲部Ｗ２の他に、湾曲部Ｗ６〜Ｗ１０が設けられて、釣竿２３を曲げた場合に、支持部材２７も多少曲がることができるようになっている。なお、引起し片２８を折り返した後に設けられた開口部２９も支持部材２７の曲げ性能を向上させている。また、使用にあっては、この釣糸案内具２６（１０も同じ）は、細糸を用いて基側釣竿固定部１７及び先側釣竿固定部１９を釣竿２３に固定することになる。なお、支持部材の基側で折り返した引起し片の先部に基側釣糸ガイドを設けてもよい。
【００１６】
図４に示す本発明の第３の実施の形態に係る釣糸案内具３１について説明するが、図示するように、この釣糸案内具３１においては、中間釣糸ガイド３２、３３が支持部材３４に交換可能に取付けられている。即ち、支持部材３４の山形部２１の先側部分に、切欠き３５が設けられ、この切欠き３５に樹脂製の基台３６が交換可能に取付けられている。この基台３６には中間釣糸ガイド３２、３３が取付けられている。基台３６の厚み方向中間部には溝３７が設けられ、この溝３７が切欠き３５の周囲の支持部材３４に嵌入し、しかも、切欠き３５の入口側は少し狭くなって、一旦装着した基台３６が切欠き３５から容易に抜けないようになっている。
【００１７】
中間釣糸ガイド３２、３３に対する基側釣糸ガイド１２と先側釣糸ガイド１６との関係は、前記した中間釣糸ガイド１３〜１５と同じで、種々の対応があり、挿通する釣糸２４に対して適当な抵抗（釣糸２４の弛み止め）と水切りを行うことができる。
支持部材３４は、前記した支持部材１１及び２７と異なり、山形部２１の基側が湾曲部Ｗ１１で折り曲げられて基側釣竿固定部１７を構成している。従って、支持部材３４は、湾曲部Ｗ１１、Ｗ２、Ｗ９、Ｗ１０を備えて、釣竿２３の曲げ方向に沿って弾力性を有している。
この釣糸案内具３１においては、基台３６を交換又は方向を変えて切欠き３５に挿入することによって、中間釣糸ガイド３２、３３の位置を基側釣糸ガイド１２及び先側釣糸ガイド１６に対して変えて、釣糸２４に対する物理的作用を変えている。
【００１８】
図５（Ａ）、（Ｂ）には、本発明の第４の実施の形態に係る釣糸案内具３９を示すが、この釣糸案内具３９が他の実施の形態と相違する点は、支持部材４０の山形部の先側に実質長方形の開口４１が形成され、この開口４１に、中間釣糸ガイド４２、４３を有する基台４４が取付けられている点である。この基台４４は開口４１に嵌入する挿入部４５と挿入部４５と一体となった固定板部４６とを有し、固定板部４６の両側部に支持部材４０にビス４７、４８を用いてねじ止めすることによって、基台４４を支持部材４０に固定している。この実施の形態においては、基台４４を交換することによって、中間釣糸ガイド４２、４３の位置を変え、釣糸２４に対する物理的作用を変えることができる。
この釣糸案内具３９によって、基台４４を確実に支持部材４０に固定することができると共に、別位置に中間釣糸ガイドが設けられた基台に変更することができる。
【００１９】
図６（Ａ）、（Ｂ）は、本発明の第５の実施の形態に係る釣糸案内具５０を示すが、図に示すように、ステンレス製の屈曲した支持部材５１の基側に、基側釣糸ガイド５２、中間部に４つの中間釣糸ガイド５３〜５６、先側に先側釣糸ガイド５７を備えている。中間釣糸ガイド５３〜５５は支持部材５１の中間位置（即ち、山形部の先側）に設けられているが、中間釣糸ガイド５６は、引起し片（引起し片Ｃの一例）５８の先部に設けられている。引起し片５８を引き起こした支持部材５１には開口５９が形成されている。支持部材５１の基側には基側釣竿固定部１７が、先側には引起し片を折り曲げて形成される先側釣竿固定部１９が設けられている。スピニングリールから解かれる釣糸２４は、基側釣糸ガイド５２、中間釣糸ガイド５３〜５６のいずれか１、先側釣糸ガイド５７を挿通される。これによって、水切り、釣糸の弛み、釣竿の調子等の問題が解決できる。
【００２０】
続いて、図７（Ａ）、（Ｂ）に示す本発明の第６の実施の形態に係る釣糸案内具６１について説明する。図に示すように、釣糸案内具６１は、ステンレス製の屈曲した支持部材６２の基側に、基側釣糸ガイド６３、中間部に大小２つの中間釣糸ガイド６４、６５、先側に先側釣糸ガイド６６を備え、基側及び先側には、それぞれ基側釣竿固定部１７及び先側釣竿固定部１９を有している。中間釣糸ガイド６４は拡幅した支持部材６２に、中間釣糸ガイド６５は支持部材６２に設けられた引起し片５８の先部に設けられている。引起し片５８は山形部６７の先側に位置して拡幅する支持部材６２の一部がＵ字状に切り込まれた部分を、支持部材６２から下方を向けて引出して形成されている。
この実施の形態において、特に注目すべき点は、山形部６７に波形屈曲部６８を設けている点である。この波形屈曲部６８は山形部６７を波形状（ジグザグ形状）に折り曲げて形成され、支持部材６２全体の弾力性を高めている。これによって、支持部材６２の屈曲性が向上し、基側釣竿固定部１７及び先側釣竿固定部１９を釣竿２３に固定した状態でも、釣竿２３の調子を大きく変えることがなく、更には、釣竿２３に大きな曲げ荷重がかかるのを防止できる。
スピニングリールから解かれる釣糸２４は、基側釣糸ガイド６３、中間釣糸ガイド６４、６５のいずれか１、先側釣糸ガイド６６を挿通される。
【００２１】
前記実施の形態に係る釣糸案内具においては、支持部材を比較的薄い（例えば、０．４〜２ｍｍ）ステンレスの帯状材によって構成したが、支持部材として他の弾力性を有する金属、プラスチック等によって構成することもできる。
また、前記実施の形態においては、支持部材を板材によって構成する場合について説明したが、剛性及び弾力性を有する金属（特に、ステンレス）、その他の金属等を用いた線材によって構成することもできる。
更には、前記実施の形態においては、基側釣糸ガイドの内径が一番大きく、次に中間釣糸ガイド、そして先側釣糸ガイドの順に内径が小さくなっていたが、本発明はこれに限定されず、例えば、中間釣糸ガイドの内径を最小にして、基側釣糸ガイド及び先側釣糸ガイドの内径をこれより大きくする場合、あるいは全部のガイドの内径を同じにする場合などであっても、本発明の権利範囲に含まれる。
前記第１〜第６の実施の形態に係る釣糸案内具の一部を取って組み合わせて釣糸案内具を構成する場合も本発明の権利範囲に含まれる。
【００２２】
【発明の効果】
請求項１〜９記載の釣糸案内具は、中間釣糸ガイドが複数あって、これらを選択して釣糸を挿通できるようにしているので、釣糸の材質及び性質や太さによって、釣糸に適正の滑り抵抗を与えることができ、更には釣糸巻取り時の水切りを行うことができる。
特に、請求項２記載の釣糸案内具は、支持部材は、順次異なる方向への３か所の湾曲部を備え、釣竿の基側の曲げに合わせて支持部材が弾力的に変形可能となっているので、この釣糸案内具を釣竿に付けることによって、釣竿の調子が無理に変わらず、従って、部分的な曲げモーメントが発生することによって、釣竿が折れる等の事故の発生が減少する。
【００２３】
請求項３記載の釣糸案内具においては、基側釣糸ガイドと先側釣糸ガイドとの上端同士又は下端同士を連結する直線に対して、中間釣糸ガイドの各釣糸挿通孔は更に外側に偏って配置され、請求項４記載の釣糸案内具においては、基側釣糸ガイドと先側釣糸ガイドとの上端同士又は下端同士を連結する直線が、中間釣糸ガイドのいずれか一つの釣糸挿通孔内にあるので、釣糸の種類や使用者の好みに応じて、釣糸を挿通する中間釣糸ガイドを選択でき、これによって、釣糸の負荷度合いを調整できる。
請求項５記載の釣糸案内具においては、支持部材は帯状材からなって、帯状材の中間位置に帯状材に沿って長くその基端部が帯状材に連結されている引起し片Ａを設け、引起し片Ａの先部に、基側釣糸ガイド及び先側釣糸ガイドのいずれか一方を設け、請求項６記載の釣糸案内具は、支持部材は帯状材からなって、帯状材の中間位置に帯状材に沿って長くその基端部が帯状材に連結されている引起し片Ｂを設け、引起し片Ｂが支持部材の一方の釣竿への固定部となって、支持部材の一方側に、基側釣糸ガイド及び先側釣糸ガイドのいずれか一方を設けているので、一枚の帯状の素材から支持部材を構成でき、全体として安価に釣糸案内具を提供できる。
そして、請求項７記載の釣糸案内具においては、中間釣糸ガイドは、基台に並べて取付けられ、基台が支持部材に交換可能に取付けられているので、基台を交換することによって、種々の中間釣糸ガイドを支持部材に取付けることができる。
【００２４】
請求項８記載の釣糸案内具は、支持部材の中間位置に、引起し片Ｃを設け、引起し片Ｃに中間釣糸ガイドの一つが設けられているので、支持部材の形状に拘束されないで、中間釣糸ガイドの適正位置を決めることができる。更に、支持部材に引起し片Ｃを設けた部分の弾力性が増して、支持部材のスプリング性を高めることができる。
そして、請求項９記載の釣糸案内具は、中間釣糸ガイドと基側釣糸ガイドとの間の支持部材には、支持部材の弾性力を高める波形屈曲部を設けているので、更に、支持部材のスプリング性を高めることができ、この釣糸案内具を釣竿に取付けることによって釣竿の調子を変えたり、あるいは釣竿に過大な曲げモーメントを与える等の障害を解消できる。
【図面の簡単な説明】
【図１】本発明の第１の実施の形態に係る釣糸案内具の斜視図である。
【図２】同側面図である。
【図３】本発明の第２の実施の形態に係る釣糸案内具の斜視図である。
【図４】本発明の第３の実施の形態に係る釣糸案内具の斜視図である。
【図５】（Ａ）は本発明の第４の実施の形態に係る釣糸案内具の部分平面図、（Ｂ）は同側面図である。
【図６】（Ａ）は本発明の第５の実施の形態に係る釣糸案内具の側面図、（Ｂ）は同斜視図である。
【図７】（Ａ）は本発明の第６の実施の形態に係る釣糸案内具の側面図、（Ｂ）は同斜視図である。
【符号の説明】
１０：釣糸案内具、１１：支持部材、１２：基側釣糸ガイド、１３〜１５：中間釣糸ガイド、１６：先側釣糸ガイド、１７：基側釣竿固定部、１８：引起し片、１９：先側釣竿固定部、２０：空間部、２１：山形部、２２：先側部、２３：釣竿、２４：釣糸、２６：釣糸案内具、２７：支持部材、２８：引起し片、２９：開口部、３１：釣糸案内具、３２、３３：中間釣糸ガイド、３４：支持部材、３５：切欠き、３６：基台、３７：溝、３９：釣糸案内具、４０：支持部材、４１：開口、４２、４３：中間釣糸ガイド、４４：基台、４５：挿入部、４６：固定板部、４７、４８：ビス、５０：釣糸案内具、５１：支持部材、５２：基側釣糸ガイド、５３〜５６：中間釣糸ガイド、５７：先側釣糸ガイド、５８：引起し片、５９：開口、６１：釣糸案内具、６２：支持部材、６３：基側釣糸ガイド、６４、６５：中間釣糸ガイド、６６：先側釣糸ガイド、６７：山形部、６８：波形屈曲部
【図１】
2004208575.tif 000003
【図２】
2004208575.tif 000004
【図３】
2004208575.tif 000005
【図４】
2004208575.tif 000006
【図５】
2004208575.tif 000007
【図６】
2004208575.tif 000008
【図７】
2004208575.tif 000009